(57)【要約】【課題】左右の接続間違いを防止することができて着心地を損ない難い衣服を提供する。【解決手段】左右袖部１３，１４を備える衣服において、左右袖部１３，１４は、それぞれ、その袖丈方向先端側の左右袖先端部１３１，１４１が該左右袖先端部１３１，１４１よりも基端側の左右袖基端部１３２，１４２に着脱可能に接続されてなり、前記左右袖先端部１３１，１４１と前記左右袖基端部１３２，１４２とのそれぞれの接続位置には、左右の接続関係を識別することができる識別部が設けられていることを特徴とする。【選択図】図１
2009161878.tif 000002
【特許請求の範囲】
【請求項１】
左右袖部を備える衣服において、左右袖部は、それぞれ、その袖丈方向先端側の左右袖先端部が該左右袖先端部よりも基端側の左右袖基端部に着脱可能に接続されてなり、前記左右袖先端部と前記左右袖基端部とのそれぞれの接続位置には、左右の接続関係を識別することができる識別部が設けられていることを特徴とする衣服。
【請求項２】
前記識別部は、前記左袖先端部が前記左袖基端部に接続されるものであることと、前記右袖先端部が前記右袖基端部に接続されるものであることとをそれぞれ表示するための目印であることを特徴とする請求項１に記載の衣服。
【請求項３】
前記左袖部は、前記左袖先端部が前記左袖基端部に左袖接続手段を介して着脱可能に接続されてなり、前記右袖部は、前記右袖先端部が前記右袖基端部に右袖接続手段を介して着脱可能に接続されてなり、
前記識別部は、前記左袖接続手段と前記右袖接続手段とをそれぞれ異なる色に色分けしてなることを特徴とする請求項１又は２に記載の衣服。
【請求項４】
左右裾部を備える衣服において、左右裾部は、それぞれ、その長さ方向先端側の左右裾先端部が該左右裾先端部よりも基端側の左右裾基端部に着脱可能に接続されてなり、前記左右裾先端部と前記左右裾基端部とのそれぞれの接続位置には、左右の接続関係を識別することができる識別部が設けられていることを特徴とする衣服。
【請求項５】
前記識別部は、前記左裾先端部が前記左裾基端部に接続されるものであることと、前記右裾先端部が前記右裾基端部に接続されるものであることとをそれぞれ表示するための目印であることを特徴とする請求項４に記載の衣服。
【請求項６】
前記左裾部は、前記左裾先端部が前記左裾基端部に左裾接続手段を介して着脱可能に接続されてなり、前記右裾部は、前記右裾先端部が前記右裾基端部に右裾接続手段を介して着脱可能に接続されてなり、
前記識別部は、前記左裾接続手段と前記右裾接続手段とをそれぞれ異なる色に色分けしてなることを特徴とする請求項４又は５に記載の衣服。
【発明の詳細な説明】
【技術分野】
【０００１】
本発明は、左右袖部を備える衣服及び左右裾部を備える衣服に関し、より詳しくは、釣りやゴルフなどの各種レジャーやスポーツなどに用いられるレインウェアの上着及びズボンに関する。
【背景技術】
【０００２】
従来、この種衣服としては、左右袖部それぞれが、その袖丈方向先端側の左右袖先端部が該左右袖先端部よりも基端側の左右袖基端部に着脱可能に接続されてなるものが知られている。また、左右裾部それぞれが、その長さ方向先端側の左右裾先端部が該左右裾先端部よりも基端側の左右裾基端部に着脱可能に接続されてなるものが知られている。
【０００３】
これらの衣服は、左右袖基端部から左右袖先端部を取り外して半袖の上着としたり、左右袖基端部に左右袖先端部を接続して長袖の上着としたりすることができ、また、左右裾基端部から左右裾先端部を取り外して半ズボンとしたり、左右裾基端部に左右裾先端部を接続して長ズボンとしたりすることができるので、天候や気候に応じて適宜調整することができて非常に便利なものである（下記特許文献１参照）。
【特許文献１】特開２００１−３０３３３８号公報
【発明の開示】
【発明が解決しようとする課題】
【０００４】
しかしながら、上記従来の袖部を備える衣服または裾部を備える衣服にあっては、左袖先端部と右袖先端部または左裾先端部と右裾先端部とのそれぞれが、左右対称の形状であるもののよく似た形状となっているため、左右の見分けがつき難く、左右関係を間違った状態、つまり、右袖基端部に左袖先端部を接続し、左袖基端部に右袖先端部を接続した状態、または、右裾基端部に左裾先端部を接続し、左裾基端部に右裾先端部を接続した状態で接続してしまい着心地が悪くなることがあった。
【０００５】
そこで、本発明は上記従来の問題に鑑みてなされ、左右の接続間違いを防止することができて着心地を損ない難い衣服を提供することを課題とする。
【課題を解決するための手段】
【０００６】
本発明は、上記課題を解決すべくなされたものであり、本発明に係る衣服は、左右袖部を備える衣服において、左右袖部は、それぞれ、その袖丈方向先端側の左右袖先端部が該左右袖先端部よりも基端側の左右袖基端部に着脱可能に接続されてなり、前記左右袖先端部と前記左右袖基端部とのそれぞれの接続位置には、左右の接続関係を識別することができる識別部が設けられていることを特徴とする。
【０００７】
該構成の衣服にあっては、左右袖先端部と左右袖基端部とのそれぞれの接続位置に前記識別部が設けられているので、左右袖先端部と左右袖基端部とをそれぞれ接続する際に、それぞれの接続関係を識別部にて識別することができる。よって、左右袖先端部と左右袖基端部とを、左右間違えることなく、左袖先端部を左袖基端部に、右袖先端部を右袖基端部に、それぞれ正しく接続することができる。
【０００８】
特に、前記識別部は、前記左袖先端部が前記左袖基端部に接続されるものであることと、前記右袖先端部が前記右袖基端部に接続されるものであることとをそれぞれ表示するための目印であることが好ましい。識別部を目印とすることによって、左右袖先端部と左右袖基端部とをそれぞれ接続する際に一目で識別することができるという利点がある。
【０００９】
また、前記左袖部は、前記左袖先端部が前記左袖基端部に左袖接続手段を介して着脱可能に接続されてなり、前記右袖部は、前記右袖先端部が前記右袖基端部に右袖接続手段を介して着脱可能に接続されてなり、前記識別部は、前記左袖接続手段と前記右袖接続手段とをそれぞれ異なる色に色分けしてなることが好ましい。
【００１０】
識別部を色分けして形成することによって、左袖先端部が左袖基端部に接続されるものであること、及び、右袖先端部が右袖基端部に接続されるものであることを、それぞれの色によって即座に且つ明確に識別することができ、左右の接続関係の間違いを確実に防止することができるという利点がある。
【００１１】
また、本発明に係る衣服は、左右裾部を備える衣服において、左右裾部は、それぞれ、その長さ方向先端側の左右裾先端部が該左右裾先端部よりも基端側の左右裾基端部に着脱可能に接続されてなり、前記左右裾先端部と前記左右裾基端部とのそれぞれの接続位置には、左右の接続関係を識別することができる識別部が設けられていることを特徴とする。
【００１２】
該構成の衣服にあっては、左右裾先端部と左右裾基端部とのそれぞれの接続位置に前記識別部が設けられているので、左右裾先端部と左右裾基端部とをそれぞれ接続する際に、それぞれの接続関係を識別部にて識別することができる。よって、左右裾先端部と左右裾基端部とを、左右間違えることなく、左裾先端部を左裾基端部に、右裾先端部を右裾基端部に、それぞれ正しく接続することができる。
【００１３】
また更に、前記識別部は、前記左裾先端部が前記左裾基端部に接続されるものであることと、前記右裾先端部が前記右裾基端部に接続されるものであることとをそれぞれ表示するための目印であることが好ましい。
【００１４】
更に、前記左裾部は、前記左裾先端部が前記左裾基端部に左裾接続手段を介して着脱可能に接続されてなり、前記右裾部は、前記右裾先端部が前記右裾基端部に右裾接続手段を介して着脱可能に接続されてなり、前記識別部は、前記左裾接続手段と前記右裾接続手段とをそれぞれ異なる色に色分けしてなることが好ましい。
【発明の効果】
【００１５】
このように、本発明に係る左右袖部を備える衣服にあっては、左右袖先端部と左右袖基端部とのそれぞれの接続位置に前記識別部が設けられているので、左右袖先端部と左右袖基端部とを、それぞれの接続関係を識別部にて識別して、左右の接続関係を間違えることなく正確に接続することができる結果、着心地を損ない難くすることができるという効果を奏する。
【００１６】
また、本発明に係る左右袖部を備える衣服にあっては、左右裾先端部と左右裾基端部とのそれぞれの接続位置に前記識別部が設けられているので、左右裾先端部と左右裾基端部とを、それぞれの接続関係を識別部にて識別して、左右の接続関係を間違えることなく正確に接続することができる結果、着心地を損ない難くすることができるという効果を奏する。
【発明を実施するための最良の形態】
【００１７】
以下、本発明に係る衣服の第一実施形態について図面を参酌しつつ説明する。
図１に、第一実施形態における衣服が示されている。該衣服は、左右袖部１３，１４を備えており、例えば釣りなどの各種レジャー等の際に防寒或いは防水用として使用されるレインウェアの上着１である。
【００１８】
該上着１は、着用者の前面側（腹部側）を覆う前身頃１１と、着用者の背面側（背部側）を覆う後身頃１２と、着用者の左右腕部をそれぞれ覆う左右袖部１３，１４と、着用者の首部を覆う襟部１５と、着用者の頭部を覆うフード部１６とを備える。
【００１９】
前身頃１１は、透湿防水性を有する外布（例えば、ポリエステル製の生地に透湿防水加工を施したもの）と通気性を有する内布（例えば、メッシュ生地）とから構成されており、着用者の前面側の右側半分を覆う右前身頃１１１と、着用者の前面側の左側半分を覆う左前身頃１１２とを備える。かかる前身頃１１は、左右前身頃１１１，１１２部がそれぞれの前面側の側端部同士を互いに合わせることができるように構成されており、しかも当該合わせ部にて互いに係脱自在に連結することができるように構成されている。尚、前記合わせ部には、前面スライドファスナー１１３等の開閉手段が設けられている。
【００２０】
また、前身頃１１には、その外面側及び／又は内面側に適宜ポケットPが設けられており、本実施形態では、右前身頃１１１の外面側下端部と、左前身頃１１２の外面側下端部及び該下端部よりも上側の位置に、それぞれポケットPが設けられている。また、左前身頃１１２の内面側には、内ポケット（図示しない）が設けられている。
【００２１】
後身頃１２は、着用者の背面側全域を覆うように構成されており、透湿防水性を有する外布（例えば、ポリエステル製の生地に透湿防水加工を施したもの）と通気性を有する内布（例えば、メッシュ生地）とから構成されている。この後身頃１２は、その左右それぞれの側端部が前身頃１１の左右それぞれの側端部に連結されている。具体的には、後身頃１２の右側端部が右前身頃１１１の右側端部に、左側端部が左前身頃１１２の左側端部に、それぞれ縫着されている。尚、本実施形態では、上着１の下部周縁部（着用者の腰部周りに対応する部分）には、その周方向長さを調節する腰周り調節部１２１が設けられている。具体的には、腰周り調節部１２１は、前身頃１１の下端部の周方向全域と後身頃１２の下端部の周方向全域とに亘ってゴム紐が通され、前身頃１１と後身頃１２との接続部にそれぞれ配置された摘み部にて、当該ゴム紐の長さを調節することができるように構成されている。
【００２２】
左袖部１３は、図１及び図２に示すように、その袖丈方向先端側の左袖先端部１３１が該左袖先端部１３１よりも基端側の左袖基端部１３２に着脱可能に接続されてなる。具体的には、左袖部１３は、基端側となる一端部１３２ａが前記前身頃１１及び後身頃１２に接続されると共に先端側となる他端部１３２ｂが自由端となる左袖基端部１３２と、該左袖基端部１３２の他端部１３２ｂに基端側となる一端部１３１ａが左袖接続手段を介して着脱可能に接続されると共に先端側となる他端部１３１ｂが自由端となっている左袖先端部１３１とを備えてなる。
【００２３】
左袖基端部１３２は、着用者の少なくとも左肩部に対応するように形成されており、本実施形態では、着用者の左肩部から左肘部にまで対応するように形成されている。左袖基端部１３２は、透湿防水性を有する外布（例えば、ポリエステル製の生地に透湿防水加工を施したもの）と通気性を有する内布（例えば、メッシュ生地）とから構成されている。
【００２４】
左袖基端部１３２の一端部１３２ａは、前記前身頃１１の左側端部の上部に縫着されている。また、左袖基端部１３２の他端部１３２ｂには、左袖接続手段としての左袖スライドファスナー１３３の一方側１３３ａが設けられている。具体的には、左袖基端部１３２の他端部１３２ｂには、左袖スライドファスナー１３３の一方側１３３ａが周方向略全域に亘って設けられている。
【００２５】
また、左袖基端部１３２の他端部１３２ｂには、前記左袖接続手段を覆うことができる第一左袖カバー部１３４が設けられている。具体的には、第一左袖カバー部１３４は、左袖基端部１３２の外面から、周方向全域に亘って外方へ向けて延設されてなり、前記左袖スライドファスナー１３３の一方側１３３ａより若干一端部１３２ａ側に設けられている。尚、左袖基端部１３２の他端部１３２ｂには、その周方向長さを調節するための第一左袖調節部１３５が設けられており、本実施形態では、当該第一左袖調節部１３５は、第一左袖カバー部１３４の内部に周方向全周に亘って設けられている。尚、図２においては、説明のため、第一左袖カバー部１３４を前記一端部１３２ａ側に折り返して示している。
【００２６】
左袖先端部１３１は、着用者の少なくとも左手首部に対応するように形成されており、本実施形態では、着用者の左肘部から左手首部にまで対応するように形成されている。左袖先端部１３１は、透湿防水性を有する外布（例えば、ポリエステル製の生地に透湿防水加工を施したもの）と通気性を有する内布（例えば、メッシュ生地）とから構成されている。
【００２７】
左袖先端部１３１の一端部１３１ａには、前記左袖接続手段となる左袖スライドファスナー１３３の他方側１３３ｂが設けられている。具体的には、左袖先端部１３１の一端部１３１ａには、左袖スライドファスナー１３３の他方側１３３ｂが周方向略全域に亘って設けられている。
【００２８】
ここで、本実施形態における左袖接続手段は、左袖基端部１３２に設けられている左袖スライドファスナー１３３の一方側１３３ａと、左袖先端部１３１に設けられている左袖スライドファスナー１３３の他方側１３３ｂとで構成される左袖スライドファスナー１３３である。そして、左袖スライドファスナー１３３を閉じる際の始端部となる（開く際の終端部となる）下止部１３３ｃと、閉じる際の終端部となる（開く際の始端部となる）上止部１３３ｄとは、左袖部１３の内側（即ち、左袖部１３を水平に延ばした状態での下側）に配置されるように設けられている。また、左袖スライドファスナー１３３は、下止部１３３ｃを起点に前面側から背面側に向けて閉じ（閉じ方向矢印１３３Ｘ）、逆に、上止部１３３ｄを起点に背面側から前面側に向けて開く（開き方向矢印１３３Ｙ）ことができるように構成されている。従って、左袖スライドファスナー１３３の下止部１３３ｃは、上止部１３３ｄよりも若干前面側に位置している。
【００２９】
また、左袖先端部１３１の一端部１３１ａには、前記左袖接続手段を覆うことができる第二左袖カバー部１３６が設けられている。具体的には、第二左袖カバー部１３６は、左袖先端部１３１の外面から、周方向全域に亘って外方へ向けて延設されてなり、前記左袖スライドファスナー１３３の他方側１３３ｂより若干他端部１３１ｂ側に設けられている。尚、図２においては、説明のため、第二左袖カバー部１３６を前記他端部１３１ｂ側に折り返して示している。
【００３０】
また、左袖先端部１３１の他端部１３１ｂには、その周方向の長さを調節するための第二左袖調節部１３７が設けられている。具体的には、第二左袖調節部１３７は、面ファスナーを有するベルト体であり、該ベルト体は、左袖先端部１３１の内側を起点に前面側から背面側へ向けて巻き付けることによって長さ調節することができるように構成されている。
【００３１】
右袖部１４は、図１及び図３に示すように、その袖丈方向先端側の右袖先端部１４１が該右袖先端部１４１よりも基端側の右袖基端部１４２に着脱可能に接続されてなる。具体的には、右袖部１４は、基端側となる一端部１４２ａが前記前身頃１１及び後身頃１２に接続されると共に先端側となる他端部１４２ｂが自由端となる右袖基端部１４２と、該右袖基端部１４２の他端部１４２ｂに基端側となる一端部１４１ａが右袖接続手段を介して着脱可能に接続されると共に先端側となる他端部１４１ｂが自由端となっている右袖先端部１４１とを備えてなる。
【００３２】
右袖基端部１４２は、着用者の少なくとも右肩部に対応するように形成されており、本実施形態では、着用者の右肩部から右肘部にまで対応するように形成されている。右袖基端部１４２は、透湿防水性を有する外布（例えば、ポリエステル製の生地に透湿防水加工を施したもの）と通気性を有する内布（例えば、メッシュ生地）とから構成されている。
【００３３】
右袖基端部１４２の一端部１４２ａは、前記前身頃１１の右側端部の上部に縫着されている。また、右袖基端部１４２の他端部１４２ｂには、右袖接続手段としての右袖スライドファスナー１４３の一方側１４３ａが設けられている。具体的には、右袖基端部１４２の他端部１４２ｂには、右袖スライドファスナー１４３の一方側１４３ａが周方向略全域に亘って設けられている。
【００３４】
また、右袖基端部１４２の他端部１４２ｂには、前記右袖接続手段を覆うことができる第一右袖カバー部１４４が設けられている。具体的には、第一右袖カバー部１４４は、右袖基端部１４２の外面から、周方向全域に亘って外方へ向けて延設されてなり、前記右袖スライドファスナー１４３の一方側１４３ａより若干一端部１４２ａ側に設けられている。尚、右袖基端部１４２の他端部１４２ｂには、その周方向長さを調節するための第一右袖調節部１４５が設けられており、本実施形態では、当該第一右袖調節部１４５は、第一右袖カバー部１４４の内部に周方向全周に亘って設けられている。尚、図２においては、説明のため、第一右袖カバー部１４４を前記一端部１４２ａ側に折り返して示している。
【００３５】
右袖先端部１４１は、着用者の少なくとも右手首部に対応するように形成されており、本実施形態では、着用者の右肘部から右手首部にまで対応するように形成されている。右袖先端部１４１は、透湿防水性を有する外布（例えば、ポリエステル製の生地に透湿防水加工を施したもの）と通気性を有する内布（例えば、メッシュ生地）とから構成されている。
【００３６】
右袖先端部１４１の一端部１４１ａには、前記右袖接続手段となる右袖スライドファスナー１４３の他方側１４３ｂが設けられている。具体的には、右袖先端部１４１の一端部１４１ａには、右袖スライドファスナー１４３の他方側１４３ｂが周方向略全域に亘って設けられている。
【００３７】
ここで、本実施形態における右袖接続手段は、右袖基端部１４２に設けられている右袖スライドファスナー１４３の一方側１４３ａと、右袖先端部１４１に設けられている右袖スライドファスナー１４３の他方側１４３ｂとで構成される右袖スライドファスナー１４３である。そして、右袖スライドファスナー１４３を閉じる際の始端部となる（開く際の終端部となる）下止部１４３ｃと、閉じる際の終端部となる（開く際の始端部となる）上止部１４３ｄとは、右袖部１４の内側（即ち、右袖部１４を水平に延ばした状態での下側）に配置されるように設けられている。また、右袖スライドファスナー１４３は、下止部１４３ｃを起点に背面側から前面側に向けて閉じ（閉じ方向矢印１４３Ｘ）、逆に、上止部１４３ｄを起点に前面側から背面側に向けて開く（開き方向矢印１４３Ｙ）ことができるように構成されている。従って、右袖スライドファスナー１４３の下止部１４３ｃは、上止部１４３ｄよりも若干背面側に位置している。
【００３８】
また、右袖先端部１４１の一端部１４１ａには、前記右袖接続手段を覆うことができる第二右袖カバー部１４６が設けられている。具体的には、第二右袖カバー部１４６は、右袖先端部１４１の外面から、周方向全域に亘って外方へ向けて延設されてなり、前記右袖スライドファスナー１４３の他方側１４３ｂより若干他端部１４１ｂ側に設けられている。尚、図２においては、説明のため、第二右袖カバー部１４６を前記他方側１４３ｂ側に折り返して示している。
【００３９】
また、右袖先端部１４１の他端部１４１ｂには、その周方向の長さを調節するための第二右袖調節部１４７が設けられている。具体的には、第二右袖調節部１４７は、面ファスナーを有するベルト体であり、該ベルト体は、右袖先端部１４１の内側を起点に前面側から背面側へ向けて巻き付けることによって長さ調節することができるように構成されている。
【００４０】
ここで、前記左袖先端部１３１と前記左袖基端部１３２との接続位置および前記右袖先端部１４１と前記右袖基端部１４２との接続位置には、左右の接続関係を識別することができる識別部が設けられている。この識別部は、左右袖先端部１３１，１４１が左右袖基端部１３２，１４２にそれぞれ正しく接続されているかどうかを識別するためのものであり、具体的には、左袖先端部１３１が左袖基端部１３２に対応していること、及び、右袖先端部１４１が右袖基端部１４２に対応していることをそれぞれ表示する目印である。本実施形態では、識別部は、左袖接続手段としての左袖スライドファスナー１３３と右袖接続手段としての右袖スライドファスナー１４３とを色分けすることで構成されている。より詳細には、識別部は、左袖スライドファスナー１３３を例えばピンク色に色付けし、右袖スライドファスナー１４３を例えば灰色に色付けしてなる。尚、識別部は、左袖スライドファスナー１３３と右袖スライドファスナー１４３とを色分けしている場合に限られず、目印となるものであれば例えば文字や図形などであってもよい。
【００４１】
着用者の首部を覆う襟部１５は、前後２枚の生地が互いの上端部同士が縫着され下端部同士が開閉可能になるように構成されている。尚、前後２枚の生地の間の領域は、着用者の頭部を覆うフード部１６を収納することができる収納部となっている。また、襟部１５は、着用者の首部の周方向全周を覆うことができるように構成されており、前身頃１１及び後身頃１２の上端部に縫着されている。
【００４２】
前記フード部１６は、透湿防水性を有する外布（例えば、ポリエステル製の生地に透湿防水加工を施したもの）と通気性を有する内布（例えば、メッシュ生地）とから構成されており、襟部１５の下端部近傍に縫着されている。このフード部１６は、折り畳んで襟部１５の収納部に収納することができる。
【００４３】
以上の構成の上着１は、左袖スライドファスナー１３３を閉じて左袖基端部１３２に左袖先端部１３１を接続し、右袖スライドファスナー１４３を閉じて右袖基端部１４２に右袖先端部１４１を接続すれば、長袖式の上着１とすることができる。
【００４４】
ここで、左袖接続手段としての左袖スライドファスナー１３３と右袖接続手段としての右袖スライドファスナー１４３とには、識別部としての目印となるようにそれぞれ異なる色が色付けされているので、左右袖先端部１３１，１４１と左右袖基端部１３２，１４２とをそれぞれ接続する際に、左右の接続関係、即ち、左袖先端部１３１が左袖基端部１３２に接続されるものであることと右袖先端部１４１が右袖基端部１４２に接続されるものであることとを、それぞれの色によって、即座に且つ明確に一目で識別することができる。よって、左袖先端部１３１を右袖基端部１４２に、右袖先端部１４１を左袖基端部１３２に左右間違えて接続してしまうことなく、左袖先端部１３１を左袖基端部１３２に、右袖先端部１４１を右袖基端部１４２にそれぞれ正しく接続することができ、着心地を損ない難くすることができる。
【００４５】
尚、左袖先端部１３１と左袖基端部１３２とを接続した状態で、第二左袖カバー部１３６にて左袖スライドファスナー１３３を覆い更にその上から第一左袖カバー部１３４にて覆い、同様に、右袖先端部１４１と右袖基端部１４２とを接続した状態で、第二右袖カバー部１４６にて右袖スライドファスナー１４３を覆い更にその上から第一右袖カバー部１４４にて覆うことによって、左右袖スライドファスナー１３３，１４３が外部に見えないようにすることができると共に、左右袖スライドファスナー１３３，１４３からの水の浸入などを防止することができる。
【００４６】
一方、左袖基端部１３２から左袖先端部１３１を取り外し、右袖基端部１４２から右袖先端部１４１を取り外すことで、半袖式の上着１とすることができる。
【００４７】
次に、本発明に係る衣服の第二実施形態について図面を参酌しつつ説明する。
図４に、第二実施形態における衣服が示されている。該衣服は、左右裾部２２，２３を備えており、例えば釣りなどの各種レジャー等の際に防寒或いは防水用として使用されるレインウェアのズボン２である。
【００４８】
該ズボン２は、着用者の臀部回りを覆い、はき口を形成する主部２１と、左脚部を覆う左裾部２２と、右脚部を覆う右裾部２３とを備える。
【００４９】
左裾部２２は、図４及び図５に示すように、その長さ方向先端側の左裾先端部２２１が該左裾先端部２２１よりも基端側の左裾基端部２２２に着脱可能に接続されてなる。具体的には、左裾部２２は、基端側となる一端部２２２ａが前記主部２１に連続すると共に先端側となる他端部２２２ｂが自由端となる左裾基端部２２２と、該左裾基端部２２２の他端部２２２ｂに基端側となる一端部２２１ａが左裾接続手段を介して着脱可能に接続されると共に先端側となる他端部２２１ｂが自由端となっている左裾先端部２２１とを備えてなる。
【００５０】
左裾基端部２２２は、着用者の左太腿部に対応するように形成されており、本実施形態では、着用者の左太腿部から左膝部にまで対応するように形成されている。左裾基端部２２２は、透湿防水性を有する外布（例えば、ポリエステル製の生地に透湿防水加工を施したもの）と通気性を有する内布（例えば、メッシュ生地）とから構成されている。尚、左裾基端部２２２には、その外周面にポケットPが設けられている。
【００５１】
左裾基端部２２２の一端部２２２ａは、前記主部２１の左側下端部に一体的に連続している。また、左裾基端部２２２の他端部２２２ｂには、左裾接続手段としての左裾スライドファスナー２２３の一方側２２３ａが設けられている。具体的には、左裾基端部２２２の他端部２２２ｂには、左裾スライドファスナー２２３の一方側２２３ａが周方向略全域に亘って設けられている。
【００５２】
また、左裾基端部２２２の他端部２２２ｂには、前記左裾接続手段を覆うことができる第一左裾カバー部２２４が設けられている。具体的には、第一左裾カバー部２２４は、左裾基端部２２２の外面から、周方向全域に亘って外方へ向けて延設されてなり、前記左裾スライドファスナー２２３の一方側２２３ａより若干一端部２２２ａ側に設けられている。尚、左裾基端部２２２の他端部２２２ｂには、その周方向長さを調節するための第一左裾調節部２２５が設けられており、本実施形態では、当該第一左裾調節部２２５は、第一左裾カバー部２２４の内部に周方向全周に亘って設けられている。尚、図５においては、説明のため、第一左裾カバー部２２４を前記一端部２２２ａ側に折り返して示している。
【００５３】
左裾先端部２２１は、着用者の少なくとも左足首部に対応するように形成されており、本実施形態では、着用者の左足首部から左膝部にまで対応するように形成されている。左裾先端部２２１は、透湿防水性を有する外布（例えば、ポリエステル製の生地に透湿防水加工を施したもの）と通気性を有する内布（例えば、メッシュ生地）とから構成されている。
【００５４】
左裾先端部２２１の一端部２２１ａには、前記左裾接続手段となる左裾スライドファスナー２２３の他方側２２３ｂが設けられている。具体的には、左裾先端部２２１の一端部２２１ａには、左裾スライドファスナー２２３の他方側２２３ｂが周方向略全域に亘って設けられている。
【００５５】
ここで、本実施形態における左裾接続手段は、左裾基端部２２２に設けられている左裾スライドファスナー２２３の一方側２２３ａと、左裾先端部２２１に設けられている左裾スライドファスナー２２３の他方側２２３ｂとで構成される左裾スライドファスナー２２３である。そして、左裾スライドファスナー２２３を閉じる際の始端部となる（開く際の終端部となる）下止部２２３ｃと、閉じる際の終端部となる（開く際の始端部となる）上止部２２３ｄとは、左裾部２２の外側に配置されるように設けられている。また、左裾スライドファスナー２２３は、下止部２２３ｃを起点に背面側から前面側に向けて閉じ（閉じ方向矢印２２３Ｘ）、逆に、上止部２２３ｄを起点に前面側から背面側に向けて開く（開き方向矢印２２３Ｙ）ことができるように構成されている。従って、左裾スライドファスナー２２３の下止部２２３ｃは、上止部２２３ｄよりも若干背面側に位置している。
【００５６】
また、左裾先端部２２１の一端部２２１ａには、前記左裾接続手段を覆うことができる第二左裾カバー部２２６が設けられている。具体的には、第二左裾カバー部２２６は、左裾先端部２２１の外面から、周方向全域に亘って外方へ向けて延設されてなり、前記左裾スライドファスナー２２３の他方側２２３ｂより若干他端部２２１ｂ側に設けられている。尚、図５においては、説明のため、第二左裾カバー部２２６を前記他端部２２１ｂ側に折り返して示している。
【００５７】
また、左裾先端部２２１の他端部２２１ｂには、その周方向の長さを調節するための第二左裾調節部２２７が設けられている。具体的には、第二左裾調節部２２７は、前記他端部２２１ｂの周方向全域に亘るゴム紐の長さを摘み部にて調節することによって前記他端部２２１ｂの周方向の長さを調節することができるように構成されており、該摘み部が前記他端部２２１ｂの外方側（即ち、着用者の左外踝側）に位置するように形成されている。
【００５８】
右裾部２３は、図４及び図５に示すように、その長さ方向先端側の右裾先端部２３１が該右裾先端部２３１よりも基端側の右裾基端部２３２に着脱可能に接続されてなる。具体的には、右裾部２３は、基端側となる一端部２３２ａが前記主部２１に連続すると共に先端側となる他端部２３２ｂが自由端となる右裾基端部２３２と、該右裾基端部２３２の他端部２３２ｂに基端側となる一端部２３１ａが右裾接続手段を介して着脱可能に接続されると共に先端側となる他端部２３１ｂが自由端となっている右裾先端部２３１とを備えてなる。
【００５９】
右裾基端部２３２は、着用者の右太腿部に対応するように形成されており、本実施形態では、着用者の右太腿部から右膝部にまで対応するように形成されている。右裾基端部２３２は、透湿防水性を有する外布（例えば、ポリエステル製の生地に透湿防水加工を施したもの）と通気性を有する内布（例えば、メッシュ生地）とから構成されている。尚、右裾基端部２３２には、その外周面にポケットPが設けられている。
【００６０】
右裾基端部２３２の一端部２３２ａは、前記主部２１の右側下端部に一体的に連続している。また、右裾基端部２３２の他端部２３２ｂには、右裾接続手段としての右裾スライドファスナー２３３の一方側２３３ａが設けられている。具体的には、右裾基端部２３２の他端部２３２ｂには、右裾スライドファスナー２３３の一方側２３３ａが周方向略全域に亘って設けられている。
【００６１】
また、右裾基端部２３２の他端部２３２ｂには、前記右裾接続手段を覆うことができる第一右裾カバー部２３４が設けられている。具体的には、第一右裾カバー部２３４は、右裾基端部２３２の外面から、周方向全域に亘って外方へ向けて延設されてなり、前記右裾スライドファスナー２３３の一方側２３３ａより若干一端部２３２ａ側に設けられている。尚、右裾基端部２３２の他端部２３２ｂには、その周方向長さを調節するための第一右裾調節部２３５が設けられており、本実施形態では、当該第一右裾調節部２３５は、第一右裾カバー部２３４の内部に周方向全周に亘って設けられている。尚、図５においては、説明のため、第一右裾カバー部２３４を前記一端部２３２ａ側に折り返して示している。
【００６２】
右裾先端部２３１は、着用者の少なくとも右足首部に対応するように形成されており、本実施形態では、着用者の右足首部から右膝部にまで対応するように形成されている。右裾先端部２３１は、透湿防水性を有する外布（例えば、ポリエステル製の生地に透湿防水加工を施したもの）と通気性を有する内布（例えば、メッシュ生地）とから構成されている。
【００６３】
右裾先端部２３１の一端部２３１ａには、前記右裾接続手段となる右裾スライドファスナー２３３の他方側２３３ｂが設けられている。具体的には、右裾先端部２３１の一端部２３１ａには、右裾スライドファスナー２３３の他方側２３３ｂが周方向略全域に亘って設けられている。
【００６４】
ここで、本実施形態における右裾接続手段は、右裾基端部２３２に設けられている右裾スライドファスナー２３３の一方側２３３ａと、右裾先端部２３１に設けられている右裾スライドファスナー２３３の他方側２３３ｂとで構成される右裾スライドファスナー２３３である。そして、右裾スライドファスナー２３３を閉じる際の始端部となる（開く際の終端部となる）下止部２３３ｃと、閉じる際の終端部となる（開く際の始端部となる）上止部２３３ｄとは、右裾部２３の外側に配置されるように設けられている。また、右裾スライドファスナー２３３は、下止部２３３ｃを起点に前面側から背面側に向けて閉じ（閉じ方向矢印２３３Ｘ）、逆に、上止部２３３ｄを起点に背面側から前面側に向けて開く（開き方向矢印２３３Ｙ）ことができるように構成されている。従って、右裾スライドファスナー２３３の下止部２３３ｃは、上止部２３３ｄよりも若干前面側に位置している。
【００６５】
また、右裾先端部２３１の一端部２３１ａには、前記右裾接続手段を覆うことができる第二右裾カバー部２３６が設けられている。具体的には、第二右裾カバー部２３６は、右裾先端部２３１の外面から、周方向全域に亘って外方へ向けて延設されてなり、前記右裾スライドファスナー２３３の他方側２３３ｂより若干他端部２３１ｂ側に設けられている。尚、図５においては、説明のため、第二右裾カバー部２３６を前記他端部２３１ｂ側に折り返して示している。
【００６６】
また、右裾先端部２３１の他端部２３１ｂには、その周方向の長さを調節するための第二右裾調節部２３７が設けられている。具体的には、第二右裾調節部２３７は、前記他端部２３１ｂの周方向全域に亘るゴム紐の長さを摘み部にて調節することによって前記他端部２３１ｂの周方向の長さを調節することができるように構成されており、該摘み部が前記他端部２３１ｂの外方側（即ち、着用者の右外踝側）に位置するように形成されている。
【００６７】
ここで、前記左裾先端部２２１と前記左裾基端部２２２との接続位置および前記右裾先端部２３１と前記右裾基端部２３２との接続位置には、左右の接続関係を識別することができる識別部が設けられている。この識別部は、左右裾先端部２２１，２３１が左右裾基端部２２２，２３２にそれぞれ正しく接続されているかどうかを識別するためのものであり、具体的には、左裾先端部２２１が左裾基端部２２２に対応していること、及び、右裾先端部２３１が右裾基端部２３２に対応していることをそれぞれ表示する目印である。本実施形態では、識別部は、左裾接続手段としての左裾スライドファスナー２２３と右裾接続手段としての右裾スライドファスナー２３３とを色分けすることで構成されている。より詳細には、識別部は、左裾スライドファスナー２２３を例えばピンク色に色付けし、右裾スライドファスナー２３３を例えば灰色に色付けしてなる。尚、識別部は、左裾スライドファスナー２２３と右裾スライドファスナー２３３とを色分けしている場合に限られず、目印となるものであれば例えば文字や図形などであってもよい。
【００６８】
以上の構成のズボン２は、左裾スライドファスナー２２３を閉じて左裾基端部２２２に左裾先端部２２１を接続し、右裾スライドファスナー２３３を閉じて右裾基端部２３２に右裾先端部２３１を接続すれば、長ズボンとすることができる。
【００６９】
ここで、左裾接続手段としての左裾スライドファスナー２２３と右裾接続手段としての右裾スライドファスナー２３３とには、識別部としての目印となるようにそれぞれ異なる色が色付けされているので、左右裾先端部２２１，２３１と左右裾基端部２２２，２３２とをそれぞれ接続する際に、左右の接続関係、即ち、左裾先端部２２１が左裾基端部２２２に接続されるものであることと右裾先端部２３１が右裾基端部２３２に接続されるものであることとを、それぞれの色によって、即座に且つ明確に一目で識別することができる。よって、左裾先端部２２１を右裾基端部２３２に、右裾先端部２３１を左裾基端部２２２に左右間違えて接続してしまうことなく、左裾先端部２２１を左裾基端部２２２に、右裾先端部２３１を右裾基端部２３２にそれぞれ正しく接続することができ、着心地を損ない難くすることができる。
【００７０】
尚、左裾先端部２２１と左裾基端部２２２とを接続した状態で、第二左裾カバー部２２６にて左裾スライドファスナー２２３を覆い更にその上から第一左裾カバー部２２４にて覆い、同様に、右裾先端部２３１と右裾基端部２３２とを接続した状態で、第二右裾カバー部２３６にて右裾スライドファスナー２３３を覆い更にその上から第一右裾カバー部２３４にて覆うことによって、左右裾スライドファスナー２２３，２３３が外部に見えないようにすることができると共に、左右裾スライドファスナー２２３，２３３からの水の浸入などを防止することができる。
【００７１】
一方、左裾基端部２２２から左裾先端部２２１を取り外し、右裾基端部２３２から右裾先端部２３１を取り外すことで、半ズボンとすることができる。
【００７２】
尚、本実施形態では、識別部が目印である場合について説明したが、これに限らず、例えば、識別部は、左袖接続手段の形状と右袖接続手段の形状、或いは、左裾接続手段の形状と右裾接続手段の形状とを互いに異ならせることで形成される場合であってもよい。具体的には、左袖接続手段としての左袖スライドファスナー１３３と右袖接続手段としての右袖スライドファスナー１４３、或いは、左裾接続手段としての左裾スライドファスナー２２３と右裾接続手段としての右裾スライドファスナー２３３との大きさ又はピッチを、互いに異なるようにしてもよい。
【００７３】
また、本実施形態では、左袖スライドファスナー１３３又は右袖スライドファスナー１４３のそれぞれの下止部１３３ｃ，１４３ｃと上止部１３３ｄ，１４３ｄとが、左袖部１３又は右袖部１４それぞれの周方向内側に設けられている場合について説明したが、これに限らず、前記下止部と上止部とが、左袖部１３又は右袖部１４それぞれの周方向外側や前面側、或いは背面側に設けられている場合であってもよい。
【００７４】
また、本実施形態では、左裾スライドファスナー２２３又は右裾スライドファスナー２３３の下止部２２３ｃ，２３３ｃと上止部２２３ｄ，２３３ｄとが、左裾部２２又は右裾部２３それぞれの外側に設けられている場合について説明したが、これに限らず、前記下止部と上止部とが、左裾部２２又は右裾部２３それぞれの内側や前面側、或いは背面側に設けられている場合であってもよい。
【００７５】
更に、本実施形態では、左袖接続手段、右袖接続手段、左裾接続手段、及び右裾接続手段がそれぞれスライドファスナーである場合について説明したが、これに限らず、例えば、面ファスナーやドットボタンなどであってもよい。
【００７６】
また更に、本実施形態では、左袖接続手段が着用者の左肘部に対応した位置に、右袖接続手段が着用者の右肘部に対応した位置にそれぞれ設けられている場合について説明したが、これに限らず、各肘部よりも手首部側に設けられていてもいいし、逆に各肘部よりも肩部側に設けられていてもよい。
【００７７】
また、本実施形態では、左裾接続手段が着用者の左膝部に対応した位置に、右裾接続手段が着用者の右膝部に対応した位置にそれぞれ設けられている場合について説明したが、これに限らず、各膝部よりも太腿部側に設けられていてもいいし、逆に各膝部よりも足首部側に設けられていてもよい。
【００７８】
更に、本実施形態では、左袖先端部１３１が左袖基端部１３２に直接接続され、右袖先端部１４１が右袖基端部１４２に直接接続される場合について説明したが、これに限らず、左袖先端部１３１と左袖基端部１３２との間に左袖中間部を介している、或いは、右袖先端部１４１と右袖基端部１４２との間に右袖中間部を介している場合であってもよい。即ち、左袖基端部１３２の先端側に左袖中間部を接続し、該左袖中間部の先端側に左袖先端部１３１を接続する、或いは、右袖基端部１４２の先端側に右袖中間部を接続し、該右袖中間部の先端側に右袖先端部１４１を接続することもできる。
【００７９】
また更に、本実施形態では、左裾先端部２２１が左裾基端部２２２に直接接続され、右裾先端部２３１が右裾基端部２３２に直接接続される場合について説明したが、これに限らず、左裾先端部２２１と左裾基端部２２２との間に左裾中間部を介している、或いは、右裾先端部２３１と右裾基端部２３２との間に右裾中間部を介している場合であってもよい。即ち、左裾基端部２２２の先端側に左裾中間部を接続し、該左裾中間部の先端側に左裾先端部２２１を接続する、或いは、右裾基端部２３２の先端側に右裾中間部を接続し、該右裾中間部の先端側に右裾先端部２３１を接続することもできる。
【図面の簡単な説明】
【００８０】
【図１】本発明の第一実施形態に係る上着を示す正面図。
【図２】同上着の要部拡大図。
【図３】同上着の要部拡大図。
【図４】本発明の第二実施形態に係るズボンを示す正面図。
【図５】同ズボンの要部拡大図。
【符号の説明】
【００８１】
１…上着、１１…前身頃、１２…後身頃、１３…左袖部、１４…右袖部、１５…襟部、１６…フード部、２…ズボン、２１…主部、２２…左裾部、２３…右裾部、１１１…右前身頃、１１２…左前身頃、１１３…前面スライドファスナー、１２１…腰周り調節部、１３１…左袖先端部、１３２…左袖基端部、１３３…左袖スライドファスナー、１３４…第一左袖カバー部、１３５…第一左袖調節部、１３６…第二左袖カバー部、１３７…第二左袖調節部、１４１…右袖先端部、１４２…右袖基端部、１４３…右袖スライドファスナー、１４４…第一右袖カバー部、１４５…第一右袖調節部、１４６…第二右袖カバー部、１４７…第二右袖調節部、２２１…左裾先端部、２２２…左裾基端部、２２３…左裾スライドファスナー、２２４…第一左裾カバー部、２２５…第一左裾調節部、２２６…第二左裾カバー部、２２７…第二左裾調節部、２３１…右裾先端部、２３２…右裾基端部、２３３…右裾スライドファスナー、２３４…第一右裾カバー部、２３５…第一右裾調節部、２３６…第二右裾カバー部、２３７…第二右裾調節部、Ｐ…ポケット
【図１】
2009161878.tif 000003
【図２】
2009161878.tif 000004
【図３】
2009161878.tif 000005
【図４】
2009161878.tif 000006
【図５】
2009161878.tif 000007